(57)【要約】【課題】  昇降シュートの伸縮継手部に粉粒物などの一部が引っ掛かったり挟まったりして残留するのを防ぐことができ、又伸縮継手部の清掃を容易に行うことのできる昇降シュートを提供することにある。【解決手段】  下部に筒状の流通管２１を備えその上部に上向きに拡開し上面に内容物投入口２２ａを有するテーパー状投入筒体２２を備えた投入部２を設け、下部に筒状の排出管３１を備えその上部に上向きに拡開し上面に内容物流通口３２ａを有するテーパー状流通筒体３２を備えた昇降排出部３を、昇降排出部３の内部側に一部挿入させる最上昇位置と上記流通管下端より離れる下方の最下降位置との間で昇降自在に設け、上記昇降排出部３の内容物流通口３２ａの全周縁と上記投入部２の流通管２１の外側面の所定位置の全周との間を囲むテーパー状の柔軟性シート４を設けると共に、上記昇降排出部３の最上昇位置と最下降位置とで上記柔軟性シート４を上下逆向きの張設状態に設けた。【選択図】        図１
2006193192.tif 000002
【特許請求の範囲】
【請求項１】
下部に筒状の流通管を備えその上部に上向きに拡開し上面に内容物投入口を有するテーパー状投入筒体を備えた投入部を設け、下部に筒状の排出管を備えその上部に上向きに拡開し上面に内容物流通口を有するテーパー状流通筒体を備えた昇降排出部を、上記投入部の下部側で該投入部を内容物流通口を通じて上記昇降排出部の内部側に一部挿入させる最上昇位置と上記流通管下端より離れる下方の最下降位置との間で昇降自在に設け、上記昇降排出部の内容物流通口の全周縁と上記投入部の流通管の外側面の所定位置の全周との間を囲むテーパー状の柔軟性シートを設けると共に、上記昇降排出部の最上昇位置と最下降位置とで上記柔軟性シートを上下逆向きの張設状態に設けたことを特徴とする昇降シュート。
【発明の詳細な説明】
【技術分野】
【０００１】
この発明は、内容物の例えば粉粒物などを上方から袋内に充填する場合に使用される昇降シュートに係り、特に、昇降シュートの伸縮継手部に粉粒物などの一部が引っ掛かったり挟まったりして残留するのを防ぎ、又伸縮継手部の清掃が容易になる昇降シュートに関するものである。
【背景技術】
【０００２】
内容物の例えば粉粒物などを上方から袋内に充填する場合、内容物の粉粒物などの一部が周囲に飛散するのを避けるために、昇降シュートが使用される。従来の昇降シュートは、例えば図３（Ａ）（Ｂ）に示すように、下部が筒状の連通管５１でその上部に上向きに拡開し上面に開口部を有するテーパ状の製品投入部と、製品投入部の下部側の連通管に外装されて昇降する昇降排出管５２と、昇降排出管５２の上部と連通管５１に外装されて連通管５１の上端側との間に設けられた蛇腹式伸縮継手部５３とから構成されている。
【発明の開示】
【発明が解決しようとする課題】
【０００３】
しかしながら、前記の蛇腹式伸縮継手部を備えた昇降シュートにあっては、昇降シュートは内容物の充填度合いに従って昇降排出管を上昇させ蛇腹式伸縮継手部もこれに連動して収縮する機構になっているため、収縮する過程で蛇腹部分には凹所が現れてこの凹所部分に内容物の粉粒物の一部が引っ掛かったり挟まったりして残留するという問題があった。
また、蛇腹部分の凹所部分に残留した粉粒物を清掃しないで昇降シュートを使って次の内容物の充填作業を行う場合、前記したように昇降シュートは内容物の充填度合いに従って昇降排出管を上昇させ蛇腹式伸縮継手部もこれに連動して収縮する機構になっているため、内容物を充填させるときには昇降排出管を最下位置に下降させこれに連動して蛇腹式伸縮継手部も伸延する。このとき、蛇腹式伸縮継手部の蛇腹部分の凹所部分に残留していた粉粒物が伸延に伴う凹所部分の消失により脱落して、昇降シュートの周辺に飛散して周辺を汚してしまうという問題があった。
さらに、清掃のために蛇腹式伸縮継手部を抜き取る場合には、蛇腹式伸縮継手部に内装されている連通管の下端部分が昇降排出管の上端部分の内部に一部重複した状態で取り付けられているので、昇降シュートの連通管と昇降排出管とを外さないと抜き取れず、このため、昇降シュートを分解する必要があった。
【０００４】
この発明は、上記のような課題に鑑み、その課題を解決すべく創案されたものであって、その目的とするところは、昇降シュートの伸縮継手部に粉粒物などの一部が引っ掛かったり挟まったりして残留するのを防ぐことができ、又伸縮継手部の清掃を容易に行うことのできる昇降シュートを提供することにある。
【課題を解決するための手段】
【０００５】
以上の目的を達成するために、この発明は、下部に筒状の流通管を備えその上部に上向きに拡開し上面に内容物投入口を有するテーパー状投入筒体を備えた投入部を設け、下部に筒状の排出管を備えその上部に上向きに拡開し上面に内容物流通口を有するテーパー状流通筒体を備えた昇降排出部を、上記投入部の下部側で該投入部を内容物流通口を通じて上記昇降排出部の内部側に一部挿入させる最上昇位置と上記流通管下端より離れる下方の最下降位置との間で昇降自在に設け、上記昇降排出部の内容物流通口の全周縁と上記投入部の流通管の外側面の所定位置の全周との間を囲むテーパー状の柔軟性シートを設けると共に、上記昇降排出部の最上昇位置と最下降位置とで上記柔軟性シートを上下逆向きの張設状態に設けた手段よりなるものである。
【発明の効果】
【０００６】
以上の記載より明らかなように、この発明に係る昇降シュートによれば、昇降排出部の最上位置と最下位置とで柔軟性シートを上下逆向きの張設状態に設けたので、伸縮継手部と同様の機能を果たす柔軟性シートに、蛇腹式伸縮継手部のように昇降排出部の最上昇位置で内周側面に凹所が現れるのを防いで、粉粒物の一部が引っ掛かったり挟まったりして残留するのを防止することができる。このため、昇降排出部を最下降位置に下降させても蛇腹式伸縮継手部のように残留した粉粒物が脱落して昇降シュートの周囲に飛散してその周囲を汚すということもない。しかも、昇降排出部は最下降位置でその上端が投入部の流通管の下端より離れた下方に位置して、昇降排出部の上端と投入部の下端とのあいだには隙間が生じ、この隙間を利用して柔軟性シートを取り外したり取り付けたりすることができるので、昇降シュートを分解することなく伸縮継手部と同様の機能を果たす柔軟性シートの清掃作業を容易に行うことができる等、極めて新規的有益なる効果を奏するものである。
【発明を実施するための最良の形態】
【０００７】
以下、図面に記載の発明を実施するための最良の形態に基づいて、この発明をより具体的に説明する。
ここで、図１は昇降シュートの最下降位置の概略側面図、図２は昇降シュートの最上昇位置の概略側面図である。
【０００８】
図において、昇降シュート１は、昇降シュート１の伸縮継手部に内容物の例えば粉粒物などの一部が引っ掛かったり挟まったりして残留するのを防ぎ、又伸縮継手部の清掃を容易にするもので、下部の流通管２１と上部のテーパー状投入筒体２２とからなる投入部２と、下部の排出管３１と上部のテーパー状流通筒体３２とからなる昇降自在な昇降排出部３と、伸縮継手部と同様な機能を果たすテーパー状の柔軟性シート４とから構成される。
【０００９】
投入部２は、内容物の例えば粉粒物を袋ａに投入する場合に、その内容物を投入する箇所で、下部に筒状の流通管２１を備え、又その上部には上向きに拡開し上面に内容物投入口２２ａを有するテーパー状投入筒体２２を備えた構造から構成されている。投入部２は昇降シュート１の一部を構成する図示しない機枠に支持されている。
【００１０】
流通管２１は例えば円筒管から構成されており、その上端はテーパー状投入筒体２２の下端に接合されている。流通管２１はテーパー状投入筒体２２と下方の昇降排出部３との間にあって投入された内容物を昇降排出部３に送り込むための通路として機能し、内容物はこの流通管２１を通過して下方の昇降排出部３に流入する。
【００１１】
テーパー状投入筒体２２は、例えば逆向きの円錐台形又は角錐台形の形状から形成されており、その上面には口径が最も広い内容物投入口２２ａが形成されていて、投入物が投入し易い構造になっている。内容物投入口２２ａから投入された内容物はテーパー状投入筒体２２の内側面の傾斜に沿って中央下部に集められて流通管２１内に排出される構造になっている。
【００１２】
昇降排出部３は、内容物の例えば粉粒物を袋ａに投入する場合に、その内容物を袋内に直接投入排出する機能を果たすもので、下部に筒状の排出管３１を備え、又その上部には上向きに拡開し上面に内容物流通口３２ａを有するテーパー状流通筒体３２を備えた構造から構成されている。昇降排出部３は昇降シュート１の一部を構成する図示しない昇降装置に連結されていて、昇降装置の昇降により昇降する構造になっている。
【００１３】
排出管３１は例えば円筒管から構成されており、その上端はテーパー状流通筒体３２の下端に接合されている。排出管３１はテーパー状流通筒体３２を通じて送られてきた内容物を袋内に直接入れ込むための通路として機能し、内容物はこの排出管３１を通過して袋内に流入する。排出管３１は上記流通管２１の外径よりその内径が大きく、排出管３１の内部側に流通管２１が一部挿入できる構造になっている。
【００１４】
テーパー状流通筒体３２は、上記のテーパー状投入筒体２２と例えば相似形の逆向きの円錐台形又は角錐台形の形状から形成されており、その上面には口径が最も広い内容物流通口３２ａが形成されている。流通管２１を流下した内容物はこのテーパー状流通筒体３２の内側面の傾斜に沿って中央下部に集められて排出管３１内に排出される構造になっている。
【００１５】
テーパー状流通筒体３２の内径はテーパー状投入筒体２２の外径より少し大きくなっていて、このテーパー状流通筒体３２にはその内部側に内容物流通口３２ａを通じて投入部２の流通管２１及びテーパー状投入筒体２２の大半が挿入できる構造になっている。
【００１６】
下部に排出管３１を備え上部にテーパー状流通筒体３２を備えた昇降排出部３は、上記投入部２の下部側で該投入部２を内容物流通口３２ａを通じて昇降排出部３の内部側に一部挿入させる最上昇位置と上記流通管２１の下端より離れる下方の最下降位置との間で昇降する構造になっている。
【００１７】
柔軟性シート４は、上記昇降排出部３の内容物流通口３２ａの全周縁と上記投入部２の流通管２１の外側面の所定位置の全周との間を囲んで、袋内への投入時に内容物の一部が外部に飛散してその周囲を汚すのを防ぐ機能を果たす。この柔軟性シート４は蛇腹式伸縮継手部と同様の機能を果たす。
【００１８】
柔軟性シート４は、昇降排出部３の最下降位置で、その上端が流通管２１の外側面の所定位置、図面では流通管２１の上端の全周に取り外し自在に連結され、その下端が内容物流通口３２ａの全周縁に取り外し自在に連結されて、張設状態になっており、下に拡開するテーパー状になっている。
【００１９】
テーパー状の柔軟性シート４は、昇降排出部３の最上昇位置で、上記と逆向きになる。つまり、昇降排出部３の最下降位置で上端あった部分は最上昇位置では逆に下端部分になり、昇降排出部３の最下降位置で下端あった部分は最上昇位置では逆に上端部分になり、張った状態なる。つまり、柔軟性シート４は、上記昇降排出部の最上昇位置と最下降位置とで上下逆向きで張った状態になる。
【００２０】
また、テーパー状の柔軟性シート４は、昇降排出部３の最上昇位置で、投入部２の外側と昇降排出部３のテーパー状投入筒体２２の内側との間で張った状態にあって、柔軟性シート４の内周側面に内容物が引っ掛かったり挟まったりするのが防がれている。
【００２１】
次に、上記発明を実施するための最良の形態の構成に基づく作用について以下説明する。
昇降シュート１を使って内容物の例えば粉粒物を袋ａに充填する場合、昇降シュート１の昇降排出部３に最下降位置にて、図示しないクランプ装置により、上端が開口する袋ａを上部からその内部に挿入し装着させ、内容物を袋ａに充填するために、昇降排出部３を最上昇位置まで上昇させる。
【００２２】
内容物の例えば粉粒物を昇降シュート１の投入部２の上面の内容物投入口２２ａに投入する。投入された内容物はテーパー状投入筒体２２の内周側面の傾斜に沿って中央下部に集められ、中央下部から流通管２１内に流入し、流通管２１内を流下して、流通管２１の下端からその下方の内容物流通口３２ａからテーパー状流通筒体３２内に流入する。
【００２３】
内容物の一部は流通管２１の下端からテーパー状流通筒体３２内に流入する際に周囲に飛散しようとするが、その周囲には下向きに拡開するテーパー状に張った状態の柔軟性シート４が設けられているために、この柔軟性シート４によって周囲に飛散するのが防がれる。
【００２４】
テーパー状流通筒体３２の内部に流入した内容物は、テーパー状流通筒体３２の内周側面の傾斜に沿って中央下部に集められ、中央下部から排出管３１内に流入し、排出管３１内を流下して、排出管３１の下端から袋ａの内部に流入する。内容物の袋ａの内部への流入に従い、昇降排出部３は最下降位置から上昇する。
【００２５】
昇降排出部３の上昇に伴い、下向きに拡開するテーパー状に張った状態の柔軟性シート４は、徐々に撓み始める。撓み始める柔軟性シート４は内周側面に蛇腹式伸縮継手部のように凹所が形成されることがないため、内容物の一部が柔軟性シート４の内周側面に引っ掛かったり挟まったりすることがない。
【００２６】
内容物の袋内への充填割合に連動して上昇していた昇降排出部３は内容物が袋内に満杯状態になる時点で最上昇位置に達し、内容物の袋内への充填も完了する。昇降排出部３の最上昇位置では、上昇したテーパー状流通筒体３２の内部側にテーパー状投入筒体２２の大部分が挿入された状態になる。
【００２７】
このとき、柔軟性シート４は最下降位置と逆向きつまり上向きに拡開するテーパー状に張った状態になる。柔軟性シート４は張った状態になるため、内周側面に蛇腹式伸縮継手部のように凹所が形成されることがなく、内容物の一部が柔軟性シート４の内周側面に引っ掛かったり挟まったりすることがない。
【００２８】
また、昇降排出部３は最下降位置でその上端が投入部２の流通管２１の下端より離れた下方に位置して、昇降排出部３の上端と投入部２の下端となる流通管２１の下端との間には隙間が生じ、この隙間を利用して柔軟性シート４を取り外したり取り付けたりすることができるので、昇降シュート１を分解することなく伸縮継手部と同様の機能を果たす柔軟性シート４の清掃作業を行うことができる。
【００２９】
なお、この発明は上記発明を実施するための最良の形態に限定されるものではなく、この発明の精神を逸脱しない範囲で種々の改変をなし得ることは勿論である。
【図面の簡単な説明】
【００３０】
【図１】この発明を実施するための最良の形態を示す昇降シュートの最下降位置の概略側面図である。
【図２】この発明を実施するための最良の形態を示す昇降シュートの最上昇位置の概略側面図である。
【図３】（Ａ）は従来の昇降シュートの上昇位置の概略側面図である。  （Ｂ）は従来の昇降シュートの下降位置の概略側面図である。
【符号の説明】
【００３１】
１    昇降シュート
２    投入部
２１    流通管
２２    テーパー状投入筒体
２２ａ  内容物投入口
３    昇降排出部
３１    排出管
３２    テーパー状流通筒体
３２ａ  内容物流通口
４    柔軟性シート
ａ    袋
【図１】
2006193192.tif 000003
【図２】
2006193192.tif 000004
【図３】
2006193192.tif 000005